(57)【特許請求の範囲】
【請求項１】
体内に埋め込まれた管状のリードを体内から取り出すためのリード取出装置であって、
前記リードの内部に挿通される管状のアウタシャフトと、
前記アウタシャフトの管孔に挿通されるインナシャフトと、
前記両シャフトの基端側にそれぞれ連結して設けられる操作部とを備え、
前記アウタシャフトにおける軸線方向の一部には、その周壁部に軸線方向に沿って螺旋状の切り込みが形成されることで当該周壁部がコイル状とされたコイル部が設けられており、
前記インナシャフトは、前記アウタシャフトの先端側に連結されており、
前記操作部は、前記インナシャフトを介して連結された前記アウタシャフトの前記先端側を前記アウタシャフトの前記基端側に対して軸線周りに相対回転させることで、前記コイル部に軸線周りの捻りを生じさせるべく操作されるものであり、
前記コイル部は、前記操作部による前記捻り操作に基づき拡径することで、前記リードを内周側から押圧し当該リードを保持するようになっており、
前記コイル部は、前記アウタシャフトの軸線方向に所定の間隔で複数設けられており、
前記アウタシャフトにおいて前記周壁部に前記切り込みが形成されていない前記コイル部以外の部分は非コイル部となっており、
前記アウタシャフトにおいては、前記コイル部と前記非コイル部とが軸線方向に交互に並んで配置され、
前記インナシャフトは、前記各コイル部よりも先端側で前記アウタシャフトに連結されていることを特徴とするリード取出装置。
【請求項２】
体内に埋め込まれた管状のリードを体内から取り出すためのリード取出装置であって、
前記リードの内部に挿通される管状のアウタシャフトと、
前記アウタシャフトの管孔に挿通されるインナシャフトと、
前記両シャフトの基端側にそれぞれ連結して設けられる操作部とを備え、
前記アウタシャフトにおける軸線方向の一部には、その周壁部に軸線方向に沿って螺旋状の切り込みが形成されることで当該周壁部がコイル状とされたコイル部が設けられており、
前記インナシャフトは、前記アウタシャフトの先端側に連結されており、
前記操作部は、前記インナシャフトを介して連結された前記アウタシャフトの前記先端側を前記アウタシャフトの前記基端側に対して軸線周りに相対回転させることで、前記コイル部に軸線周りの捻りを生じさせるべく操作されるものであり、
前記コイル部は、前記操作部による前記捻り操作に基づき拡径することで、前記リードを内周側から押圧し当該リードを保持するようになっており、
前記操作部は、前記アウタシャフトの前記基端側が軸線周りに回転するのを規制しながら、前記アウタシャフトの前記先端側に前記インナシャフトを介して軸線周りの回転力を付与すべく操作されるものであり、
前記コイル部においてその拡径時に前記リードを押圧保持する部分は押圧保持部であり、
前記押圧保持部を有する前記コイル部は、前記アウタシャフトの軸線方向に所定の間隔で複数設けられているか、又は１つだけ設けられており、
前記アウタシャフトにおいて複数又は１つの前記コイル部を形成する前記切り込みのうち、前記押圧保持部を形成している所定の切り込み部分は、全体として、軸線周りの周回ピッチが先端側から基端側に向かうにつれて小さくなっていることを特徴とするリード取出装置。
【請求項３】
体内に埋め込まれた管状のリードを体内から取り出すためのリード取出装置であって、
前記リードの内部に挿通される管状のアウタシャフトと、
前記アウタシャフトの管孔に挿通されるインナシャフトと、
前記両シャフトの基端側にそれぞれ連結して設けられる操作部とを備え、
前記アウタシャフトにおける軸線方向の一部には、その周壁部に軸線方向に沿って螺旋状の切り込みが形成されることで当該周壁部がコイル状とされたコイル部が設けられており、
前記インナシャフトは、前記アウタシャフトの先端側に連結されており、
前記操作部は、前記インナシャフトを介して連結された前記アウタシャフトの前記先端側を前記アウタシャフトの前記基端側に対して軸線周りに相対回転させることで、前記コイル部に軸線周りの捻りを生じさせるべく操作されるものであり、
前記コイル部は、前記操作部による前記捻り操作に基づき拡径することで、前記リードを内周側から押圧し当該リードを保持するようになっており、
前記操作部は、前記アウタシャフトの前記基端側が軸線周りに回転するのを規制しながら、前記アウタシャフトの前記先端側に前記インナシャフトを介して軸線周りの回転力を付与すべく操作されるものであり、
前記コイル部は、前記アウタシャフトの軸線方向に所定の間隔で複数設けられており、
前記インナシャフトは、前記各コイル部よりも先端側で前記アウタシャフトに連結されており、
前記各コイル部を形成する各々の前記切り込みはそれぞれ軸線周りの周回ピッチが当該切り込みにおいて最小かつ一定とされた最小ピッチ部を有しており、
前記各コイル部における前記切り込みの前記最小ピッチ部は、先端側のものから基端側のものに向かうにつれ前記周回ピッチが小さくなっていることを特徴とするリード取出装置。
【請求項４】
体内に埋め込まれた管状のリードを体内から取り出すためのリード取出装置であって、
前記リードの内部に挿通される管状のアウタシャフトと、
前記アウタシャフトの管孔に挿通されるインナシャフトと、
前記両シャフトの基端側にそれぞれ連結して設けられる操作部とを備え、
前記アウタシャフトにおける軸線方向の一部には、その周壁部に軸線方向に沿って螺旋状の切り込みが形成されることで当該周壁部がコイル状とされたコイル部が設けられており、
前記インナシャフトは、前記アウタシャフトの先端側に連結されており、
前記操作部は、前記インナシャフトを介して連結された前記アウタシャフトの前記先端側を前記アウタシャフトの前記基端側に対して軸線周りに相対回転させることで、前記コイル部に軸線周りの捻りを生じさせるべく操作されるものであり、
前記コイル部は、前記操作部による前記捻り操作に基づき拡径することで、前記リードを内周側から押圧し当該リードを保持するようになっており、
前記アウタシャフトにおいて前記周壁部に前記切り込みが形成されていない前記コイル部以外の部分は非コイル部であり、
前記コイル部を形成する前記切り込みは、
その軸線周りの周回ピッチが一定とされたピッチ一定部と、
前記ピッチ一定部と前記非コイル部との間に設けられ、前記周回ピッチが前記ピッチ一定部から前記非コイル部に向かうにつれ当該ピッチ一定部の周回ピッチから徐々に大きくなるピッチ変化部とを有していることを特徴とするリード取出装置。
【請求項５】
前記コイル部は、前記アウタシャフトにおいてその先端部付近又は先端部のいずれかから基端側に向けた所定範囲に形成されていることを特徴とする請求項１乃至４のいずれか一項に記載のリード取出装置。
【請求項６】
前記操作部による操作により前記アウタシャフトの前記先端側を前記アウタシャフトの前記基端側に対して軸線周り方向における両側にそれぞれ相対回転させることが可能となっており、
前記コイル部は、前記操作部の操作により前記アウタシャフトの前記先端側が前記アウタシャフトの前記基端側に対して軸線周り方向の一方側へ相対回転されると拡径し、他方側へ相対回転されると縮径する構成となっていることを特徴とする請求項１乃至５のいずれか一項に記載のリード取出装置。
【発明の詳細な説明】
【技術分野】
【０００１】
本発明は、リード取出装置に関する。
【背景技術】
【０００２】
従来より、心臓の不整脈疾患を治療する等の目的でペースメーカが用いられている。ペースメーカは、心臓に電気的な刺激を伝達するためのリード（導線）を有している。リードは、導電性を有するコイル状のワイヤにより形成され、心臓の内部に埋め込まれた状態で留置される。
【０００３】
リードに断線等の不具合が生じたり、術部にポケット感染等が生じたりした場合等には、リードを体内から取り出す必要が生じうる。その場合、開心術によりリードを体内から取り出す方法があるが、この方法は侵襲が大きく患者にとって大きな負担となる。そこで、近年、開心術に頼らずにリードを体内から引き抜いて取り出す方法が試みられている。この方法では、リードを体内から取り出すにあたり専用のリード取出装置が用いられる。
【０００４】
かかるリード取出装置として、特許文献１には、図７に示す構成のものが開示されている。以下、このリード取出装置の構成について図７に基づいて説明する。図７に示すように、特許文献１のリード取出装置６０は、リード６５の内腔６５ａ（図８参照）に挿通される管状のアウタシャフト６１と、アウタシャフト６１の内側に挿通されるとともに先端部がアウタシャフト６１の先端部に連結されたインナシャフト６２と、各シャフト６１，６２の基端側に設けられた操作部６３とを備える。アウタシャフト６１の先端側には、その周壁部６１ａに複数の切り欠き６４が形成されている。これらの切り欠き６４は、アウタシャフト６１の軸線方向と直交する所定方向に開口された凹状の切り欠きとなっており、軸線方向に長い長尺状をなしている。これら複数の切り欠き６４は、アウタシャフト６１の軸線方向に等間隔で並んでおり、かつ、同方向に隣り合う切り欠き６４同士が上記所定方向における反対側に向けて開口している。アウタシャフト６１の周壁部６１ａにおいてこれら切り欠き６４により切り欠かれず残された部分は変形部６６となっている。変形部６６は、操作部６３の操作に基づいて径方向外側に向けて突出変形可能となっている。
【０００５】
続いて、リード取出装置６０の作用について図８（ａ）及び（ｂ）を用いて説明する。リード取出装置６０を用いてリード６５を体内から取り出す際には、まず図８（ａ）に示すように、同装置６０のアウタシャフト６１をリード６５の内腔６５ａに挿通する。その後、図８（ｂ）に示すように、操作部６３の操作によりインナシャフト６２を基端側へと引っ張る。これにより、インナシャフト６２に連結されたアウタシャフト６１の先端部が基端側へ引っ張られ、それに伴いアウタシャフト６１の各変形部６６がそれぞれ径方向の外側へ突出変形する。そして、その突出変形した各変形部６６がリード６５を内周側から押圧し当該リード６５を保持する。その後、かかるリード６５の保持状態でリード取出装置６０を体内から引き抜く。これにより、リード取出装置６０とともにリード６５が体内から引き抜かれる（取り出される）。
【先行技術文献】
【特許文献】
【０００６】
【特許文献１】米国特許第６３５８２５６号明細書
【発明の概要】
【発明が解決しようとする課題】
【０００７】
ところで、上記特許文献１に記載のリード取出装置６０は、アウタシャフト６１における周方向の一部（変形部６６）が外側に突出することで当該一部によりリード６５を押圧保持する構成となっている。そのため、上記のリード取出装置６０は、リード６５を安定した状態で保持することが困難であると考えられる。
【０００８】
本発明は、上記事情に鑑みてなされたものであり、リードを安定した状態で保持することができるリード取出装置を提供することを主たる目的とするものである。
【課題を解決するための手段】
【０００９】
上記課題を解決すべく、第１の発明のリード取出装置は、体内に埋め込まれた管状のリードを体内から取り出すためのリード取出装置であって、前記リードの内部に挿通される管状のアウタシャフトと、前記アウタシャフトの管孔に挿通されるインナシャフトと、前記両シャフトの基端側にそれぞれ連結して設けられる操作部とを備え、前記アウタシャフトにおける軸線方向の一部には、その周壁部に軸線方向に沿って螺旋状の切り込みが形成されることで当該周壁部がコイル状とされたコイル部が設けられており、前記インナシャフトは、前記アウタシャフトの先端側に連結されており、前記操作部は、前記インナシャフトを介して連結された前記アウタシャフトの前記先端側を前記アウタシャフトの前記基端側に対して軸線周りに相対回転させることで、前記コイル部に軸線周りの捻りを生じさせるべく操作されるものであり、前記コイル部は、前記操作部による前記捻り操作に基づき拡径することで、前記リードを内周側から押圧し当該リードを保持することを特徴とする。
【００１０】
本発明によれば、リードの内部に挿通されるアウタシャフトの周壁部に螺旋状の切り込みが形成されることで当該周壁部がコイル状とされたコイル部が設けられている。このコイル部は、操作部の操作により、インナシャフトを介してアウタシャフトの先端側がアウタシャフトの基端側に対して軸線周りに相対回転されると、軸線周りへの捻れが生じて拡径しリードを内周側から押圧保持する。このような構成では、コイル部の周方向全域が径方向外側に変位してリードを保持するため、リードを安定した状態で保持することが可能となる。
【００１１】
第２の発明のリード取出装置は、第１の発明において、前記コイル部は、前記アウタシャフトにおいてその先端部付近又は先端部のいずれかから基端側に向けた所定範囲に形成されていることを特徴とする。
【００１２】
本発明によれば、コイル部がアウタシャフトにおいてその先端部付近又は先端部から基端側に向けた所定範囲に形成されているため、コイル部によりリードの先端部付近を保持することができる。リードの先端部は体内の生体組織に強く癒着される部位であるため、その先端部付近をコイル部により保持することでリードを好適に体内から取り出すことができる。
【００１３】
ここで、上述した特許文献１のリード取出装置では、インナシャフトを介してアウタシャフトの先端部を基端側へ引っ張ることで変形部を突出変形させ、その突出変形させた突出部によりリードを保持する構成となっている。かかる構成では、変形部が保持状態へ移行する過程で変形部が基端側に変位することになるため、リードの先端部付近を変形部により保持することが困難であると考えられる。その点本発明では、アウタシャフトの基端側及び先端側を軸線周りに相対回転させることでコイル部にねじれを生じさせて拡径し、その拡径したコイル部によりリードを押圧保持する構成となっているため、コイル部が保持状態（換言すると拡径状態）へ移行する過程でコイル部が基端側に変位することがない。そのため、コイル部によりリードの先端部付近を確実に保持することができ、その結果リードを好適に体内から取り出すという上述の効果を確実に得ることができる。
【００１４】
第３の発明のリード取出装置は、第１又は第２の発明において、前記コイル部は、前記アウタシャフトの軸線方向に所定の間隔で複数設けられており、前記インナシャフトは、前記各コイル部よりも先端側で前記アウタシャフトに連結されていることを特徴とする。
【００１５】
本発明によれば、コイル部がアウタシャフトの軸線方向に沿って所定の間隔で複数設けられている。この場合、体内に埋め込まれたリードにおいて生体組織に強く癒着する癒着部位が複数箇所に存在する場合に、それら各癒着部位に対応させてコイル部を配置することができる。そのため、それら各癒着部位をそれぞれコイル部により保持することが可能となり、その結果リードを体内からより一層好適に取り出すことが可能となる。
【００１６】
また、一のコイル部をアウタシャフトの軸線方向に長く形成することによっても、その（一の）コイル部によりリードにおいて生体組織に強く癒着する複数の癒着部位を保持することは可能である。しかしながら、その場合、コイル部全体を拡径させるべく、操作部の操作によりアウタシャフトに加える捻り量が大きくなるため、かかる操作が大変になるおそれがある。この点本発明では、かかる操作の大変さを伴うことなく上述した効果を得ることができる。
【００１７】
第４の発明のリード取出装置は、第１乃至第３のいずれかの発明において、前記操作部は、前記アウタシャフトの前記基端側が軸線周りに回転するのを規制しながら、前記アウタシャフトの前記先端側に前記インナシャフトを介して軸線周りの回転力を付与すべく操作されるものであることを特徴とする。
【００１８】
ところで、コイル部に軸線周りの捻れを生じさせる方法としては、例えばアウタシャフトの先端側が軸線周りに回転するのを規制しながら、アウタシャフトの基端側に軸線周りの回転力を付与する方法が考えられる。この方法では、その付与された回転力がアウタシャフトの基端側から先端側へと伝達され、その伝達される回転力によりコイル部に捻れを生じさせることになる。しかしながら、コイル部は、リードの先端側を保持すべくアウタシャフトの先端側に配置されると考えられ、その場合、アウタシャフトにおける基端側から先端側のコイル部までの長い範囲を軸線周りに回転させる必要が生じる。そうすると、回転に伴いアウタシャフトの外周面とリードの内周面との間に大きな摺動抵抗が発生するおそれがあり、回転操作する際の操作性の低下が懸念される。
【００１９】
そこで本発明では、このような点に鑑みて、上記の方法とは逆に、アウタシャフトの基端側が軸線周りに回転するのを規制しながら、アウタシャフトの先端側にインナシャフトを介して軸線周りの回転力を付与するようにしている。この場合、付与された回転力がアウタシャフトの先端側から基端側へと伝達され、その伝達された回転力によりコイル部に捻れを生じさせることになる。そのため、コイル部に捻れを生じさせるためにアウタシャフトにおけるコイル部よりも基端側を（大きく）回転させなくてもよく、その結果、かかる回転に伴いアウタシャフトの外周面とリードの内周面との間に生じる摺動抵抗を低減させることができる。これにより、操作性の低下を抑制しながら、上記第１の発明の効果を得ることができる。
【００２０】
第５の発明のリード取出装置は、第４の発明において、前記コイル部においてその拡径時に前記リードを押圧保持する部分は押圧保持部であり、前記押圧保持部を有する前記コイル部は、前記アウタシャフトの軸線方向に所定の間隔で複数設けられているか、又は１つだけ設けられており、前記アウタシャフトにおいて複数又は１つの前記コイル部を形成する前記切り込みのうち、前記押圧保持部を形成している所定の切り込み部分は、全体として、軸線周りの周回ピッチが先端側から基端側に向かうにつれて小さくなっていることを特徴とする。
【００２１】
ところで、操作部の操作により、インナシャフトを介してアウタシャフトの先端側に回転力が付与される第４の発明の構成では、その回転力がアウタシャフトの先端側から基端側へと伝達されることになる。かかる構成にあって、例えばコイル部の先端側がまず最初に拡径しリードを押圧保持する保持状態に移行した場合、それ以降は、当該先端側に回転力が付与されても当該先端側が回転しなくなることが想定される。その場合、コイル部において当該先端側よりも基端側に回転力を伝達させることが困難となり、ひいてはコイル部において当該先端側よりも基端側を拡径させ保持状態に移行させることが困難になるおそれがある。
【００２２】
そこで本発明では、この点に鑑みて、コイル部においてその拡径時にリードを押圧保持する押圧保持部について、その切り込み部分の周回ピッチを先端側から基端側に向かうにつれて小さくしている。この場合、押圧保持部では、先端側よりも基端側の方が拡径し易くなるため、拡径の際、先端側よりも基端側の方が先にリードの内周部まで拡径しリードを押圧保持する保持状態へ移行することになる。これにより、先端側が先に保持状態となってそれよりも基端側に回転力を伝達できなくなる上述の不都合が生じるのを回避できるため、押圧保持部の全体を確実に保持状態へと移行させることができる。そのため、コイル部（押圧保持部）によるリードの保持機能を確実に発揮させることができる。
【００２３】
第６の発明のリード取出装置は、第４の発明において、前記コイル部は、前記アウタシャフトの軸線方向に所定の間隔で複数設けられており、前記インナシャフトは、前記各コイル部よりも先端側で前記アウタシャフトに連結されており、前記各コイル部を形成する各々の前記切り込みはそれぞれ軸線周りの周回ピッチが当該切り込みにおいて最小かつ一定とされた最小ピッチ部を有しており、前記各コイル部における前記切り込みの前記最小ピッチ部は、先端側のものから基端側のものに向かうにつれ前記周回ピッチが小さくなっていることを特徴とする。
【００２４】
コイル部において切り込みの最小ピッチ部により形成された部位は当該コイル部において最も拡径し易くなっている部位であり、ひいてはコイル部においてリードを内周側から押圧保持する押圧保持部として機能する部位であると考えられる。ここで、アウタシャフトの軸線方向に所定の間隔で複数のコイル部が設けられている構成では、操作部の操作によりアウタシャフトの先端側に回転力が付与されると、その回転力がアウタシャフトにおいて先端側のコイル部から基端側のコイル部へ順に伝達されることになる。この場合、例えば先端側のコイル部（押圧保持部）がまず最初に拡径しリードを押圧保持する保持状態に移行した場合、それ以降は、その先端側のコイル部に回転力が付与されても当該コイル部が回転しなくなることが想定される。そうすると、当該コイル部よりも基端側に回転力を伝達させることが困難となり、当該コイル部よりも基端側のコイル部を拡径させ保持状態に移行させることが困難になるおそれがある。
【００２５】
そこで本発明では、この点に鑑みて、各コイル部における切り込みの最小ピッチ部において、その周回ピッチを先端側のものから基端側のものに向かって小さくなるようにしている。この場合、各コイル部の押圧保持部では、先端側のものよりも基端側のものの方が拡径し易くなるため、拡径時には、基端側のものほど先にリードの内周部まで拡径しリードを押圧保持する保持状態に移行することになる。これにより、アウタシャフトに複数のコイル部が設けられた構成にあって、それら各コイル部（押圧保持部）をそれぞれ確実に保持状態へ移行させることができるため、各コイル部によるリードの保持機能を確実に発揮させることができる。
【００２６】
第７の発明のリード取出装置は、第１乃至第６のいずれかの発明において、前記アウタシャフトにおいて前記周壁部に前記切り込みが形成されていない前記コイル部以外の部分は非コイル部であり、前記コイル部を形成する前記切り込みは、その軸線周りの周回ピッチが一定とされたピッチ一定部と、前記ピッチ一定部と前記非コイル部との間に設けられ、前記周回ピッチが前記ピッチ一定部から前記非コイル部に向かうにつれ当該ピッチ一定部の周回ピッチから徐々に大きくなるピッチ変化部とを有していることを特徴とする。
【００２７】
本発明によれば、コイル部を形成する切り込みが、ピッチ一定部と、ピッチ一定部と非コイル部との間に設けられたピッチ変化部とを有しており、ピッチ変化部では、切り込みの周回ピッチがピッチ一定部から非コイル部に向かうにつれてピッチ一定部の周回ピッチから徐々に大きくなっている。この場合、アウタシャフトにおけるコイル部と非コイル部との境界部で局所的に剛性が変化するのを抑制できるため、アウタシャフトにおいて先端側から基端側へ（又は基端側から先端側へ）と回転力が伝達される際、その回転力を非コイル部からコイル部へ（又はコイル部から非コイル部へ）と上手く伝達させることができる。これにより、コイル部と非コイル部との間で回転力を上手く伝達させることができずに、コイル部が非コイル部との境界部で変形したり破損したりする不具合を生じさせにくくすることができる。
【００２８】
また、ピッチ変化部は、ピッチ一定部の基端側及び先端側にそれぞれ設けられるのが望ましい。そうすれば、コイル部における軸線方向の両端部にてそれぞれ上記の不具合を生じさせにくくすることができる。
【００２９】
第８の発明のリード取出装置は、第１乃至第７のいずれかの発明において、前記操作部による操作により前記アウタシャフトの前記先端側を前記アウタシャフトの前記基端側に対して軸線周り方向における両側にそれぞれ相対回転させることが可能となっており、前記コイル部は、前記操作部の操作により前記アウタシャフトの前記先端側が前記アウタシャフトの前記基端側に対して軸線周り方向の一方側へ相対回転されると拡径し、他方側へ相対回転されると縮径する構成となっていることを特徴とする。
【００３０】
本発明によれば、操作部の操作によりコイル部を拡径及び縮径させることができる。この場合、コイル部を拡径させてリードを保持した後、コイル部を縮径させればその保持状態を解除することができる。これにより、リードの取り出しを行っている際に何らかの不具合が生じた場合には、リードの保持状態を解除してリード取出装置のみを体内から取り出すことができるため、リードの取り出しを行う上で安全性を高めることができる。
【図面の簡単な説明】
【００３１】
【図１】リード取出装置の全体構成を示す側面図。
【図２】アウタシャフト及びインナシャフトを示す側面図。
【図３】操作部周辺の構成を示す縦断面図。
【図４】リード取出装置の作用を説明するための説明図。
【図５】各コイル部がリードを保持する保持状態へと移行する際の様子を説明するための説明図。
【図６】心臓内に埋め込まれたリードを心臓内から取り出す際の様子を説明するための説明図。
【図７】特許文献１のリード取出装置の全体構成を示す側面図。
【図８】特許文献１のリード取出装置の作用を説明するための説明図。
【発明を実施するための形態】
【００３２】
以下に、本発明を具体化した一実施の形態について図面を参照しつつ説明する。本実施形態では、体内に埋め込まれたペースメーカのリードを体内から取り出すリード取出装置について具体化している。図１は、リード取出装置の全体構成を示す側面図である。図２はリード取出装置のアウタシャフト及びインナシャフトを示す側面図である。
【００３３】
図１に示すように、リード取出装置１０は、リードの内部に挿通されるアウタシャフト１１と、アウタシャフト１１の内側に挿通されたインナシャフト１２と、それら各シャフト１１，１２の基端側に設けられた操作部１３とを備える。リード取出装置１０は、全体として例えば６００ｍｍ〜７００ｍｍ程度の長さを有している。
【００３４】
図２に示すように、アウタシャフト１１は、金属材料により円管状に形成されており、具体的にはステンレスにより形成されている。アウタシャフト１１は、その内部に管孔１１ａを有している。管孔１１ａは、アウタシャフト１１の軸線方向（長手方向）全域に亘って連続して延びている。また、アウタシャフト１１は、その内径および外径が軸線方向全域に亘って同じとなっている。
【００３５】
インナシャフト１２は、金属材料により線状に形成されており、具体的にはステンレスにより形成されている。インナシャフト１２は、その横断面（軸線方向と直交する方向の断面）が円形状をなしており、その外径が軸線方向全域に亘って同じとなっている。インナシャフト１２の外径はアウタシャフト１１の内径よりも小さくなっている。インナシャフト１２は、アウタシャフト１１の管孔１１ａに挿通されており、その挿通状態においてインナシャフト１２の外周面とアウタシャフト１１の内周面との間には隙間が存在している。
【００３６】
インナシャフト１２は、その先端部がアウタシャフト１１の先端部と軸線方向にて同位置に位置合わせされている。その位置合わせの状態でインナシャフト１２の先端部はアウタシャフト１１の先端部に溶接（例えばＹＡＧ溶接）により接合（連結）されている。この場合、溶接により生じた溶接ビード１５が各シャフト１１，１２の先端部に跨がって形成されており、その溶接ビード１５を介して各シャフト１１，１２の先端部が互いに結合されている。溶接ビード１５は、リード取出装置１０の先端部を構成しており、先端側に向けて凸となる半球状をなしている。これにより、リード取出装置１０をリード内に挿入する際、溶接ビード１５によりリードを破損してしまうことが抑制されている。
【００３７】
各シャフト１１，１２の先端部が接合された状態では、各シャフト１１，１２が互いの軸線（中心軸線）を同一直線上に位置させた状態で配置されている。また、各シャフト１１，１２が接合された状態では、インナシャフト１２の一部がアウタシャフト１１の基端部よりも基端側に延出し延出部１８となっている。
【００３８】
なお、アウタシャフト１１及びインナシャフト１２は、必ずしもステンレスにより形成する必要はなく、ニッケルチタン等他の金属材料により形成してもよい。また、アウタシャフト１１及びインナシャフト１２をポリエーテルエーテルケトン（ＰＥＥＫ）等の樹脂材料により形成してもよい。その場合、各シャフト１１，１２の先端部を溶着や接着等により接合すればよい。
【００３９】
続いて、アウタシャフト１１の構成について詳しく説明する。
【００４０】
アウタシャフト１１には、その管孔１１ａを囲む周壁部１７に螺旋状の切り込み２１〜２３が形成されている。切り込み２１〜２３は、アウタシャフト１１において軸線方向に所定の間隔で複数（具体的には３つ）形成されている。それら各切り込み２１〜２３はいずれも周壁部１７を厚み方向に貫通しており、アウタシャフト１１の軸線方向に沿って螺旋状に連続して延びている。なお、以下においては、各切り込み２１〜２３を先端側のものから基端側のものに向かって順に第１切り込み２１、第２切り込み２２、第３切り込み２３という。
【００４１】
各切り込み２１〜２３はいずれも螺旋の向きが同じ向きとなっている。つまり、各切り込み２１〜２３はいずれも先端側から基端側に向かうにつれて軸線周りを同じ向き（具体的には左周り）に周回するように形成されている。また、各切り込み２１〜２３はいずれも同じ幅（スリット幅）を有しており、その幅は切り込み２１〜２３の長手方向全域に亘って同じとなっている。
【００４２】
アウタシャフト１１において上記切り込み２１〜２３により周壁部１７がコイル状（換言すると螺旋状）とされた部分はコイル部２４〜２６となっている。コイル部２４〜２６は、軸線周りに螺旋状に周回された螺旋部を有しており、その螺旋部は切り込み２１〜２３に沿って螺旋状に延びている。コイル部２４〜２６は各切り込み２１〜２３に対応して軸線方向に所定の間隔で複数（具体的には３つ）設けられている。これら各コイル部２４〜２６はいずれもアウタシャフト１１において先端側に設けられている。
【００４３】
なお、以下においては、各コイル部２４〜２６を先端側のものから基端側のものに向かって順に第１コイル部２４、第２コイル部２５、第３コイル部２６という。また、アウタシャフト１１において切り込み２１〜２３が形成されていないコイル部２４〜２６以外の部分を非コイル部２７という。アウタシャフト１１においては、これらコイル部２４〜２６と非コイル部２７とが軸線方向に交互に並んで配置されている。
【００４４】
第１コイル部２４（換言すると第１切り込み２１）はアウタシャフト１１の先端部付近から基端側に向けた所定範囲に形成されている。つまり、第１コイル部２４はアウタシャフト１１の先端部よりも若干基端側の位置から基端側へ向けて延びており、詳しくはアウタシャフト１１の先端部から０．５〜２．０ｍｍだけ基端側の位置から基端側へと延びている。この場合、アウタシャフト１１において第１コイル部２４よりも先端側には軸線方向の長さが極めて短い非コイル部２７が存在しており、この非コイル部２７がインナシャフト１２の先端部に溶接により（溶接ビード１５を介して）接合されている。
【００４５】
第２コイル部２５は、第１コイル部２４から所定寸法だけ基端側の位置に配置され、第３コイル部２６は、第２コイル部２５から所定寸法だけ基端側の位置に配置されている。詳しくは、第２コイル部２５及び第３コイル部２６は、アウタシャフト１１が体内に埋め込まれたリード内に挿入された際、当該リードにおいて体内の生体組織に強く癒着される癒着部位に配置されるようその位置が設定されている（その詳細は後述）。
【００４６】
続いて、各コイル部２４〜２６（各切り込み２１〜２３）の構成について詳しく説明する。なお、各コイル部２４〜２６は基本的に同様の構成を有しているため、以下においては各コイル部２４〜２６の説明をまとめて行う。
【００４７】
コイル部２４〜２６を形成する各切り込み２１〜２３は、軸線方向において中間部に形成されたピッチ一定部２１ａ〜２３ａと、ピッチ一定部２１ａ〜２３ａの先端側に連続して形成された先端側ピッチ変化部２１ｂ〜２３ｂと、ピッチ一定部２１ａ〜２３ａの基端側に連続して形成された基端側ピッチ変化部２１ｃ〜２３ｃとを有している。先端側ピッチ変化部２１ｂ〜２３ｂは、切り込み２１〜２３の先端部を含んでおり、基端側ピッチ変化部２１ｃ〜２３ｃは、切り込み２１〜２３の基端部を含んでいる。これら各ピッチ変化部２１ｂ〜２３ｂ，２１ｃ〜２３ｃはいずれも非コイル部２７に隣接している。なお、これら各ピッチ変化部２１ｂ〜２３ｂ，２１ｃ〜２３ｃがそれぞれピッチ変化部に相当する。
【００４８】
ピッチ一定部２１ａ〜２３ａでは、切り込み２１〜２３の周回ピッチが軸線方向全域に亘って同じとなっている。ここで、切り込み２１〜２３の周回ピッチとは、切り込み２１〜２３が軸線周りに一周り（周回）するにつき軸線方向に変位する長さをいい、換言すると軸線方向に隣り合う切り込み２１〜２３間の距離（軸線方向の距離）をいう。ピッチ一定部２１ａ〜２３ａでは、その周回ピッチが各ピッチ変化部２１ｂ〜２３ｂ，２１ｃ〜２３ｃの周回ピッチよりも小さくなっている。換言すると、ピッチ一定部２１ａ〜２３ａでは、その周回ピッチが切り込み２１〜２３において最も小さくなっている。したがって、このピッチ一定部２１ａ〜２３ａが最小ピッチ部に相当する。
【００４９】
先端側ピッチ変化部２１ｂ〜２３ｂでは、その周回ピッチがピッチ一定部２１ａ〜２３ａから先端側に離れるにしたがいピッチ一定部２１ａ〜２３ａの周回ピッチから徐々に（より詳しくは、切り込み２１〜２３の１周回ごとに）大きくなっている。また、基端側ピッチ変化部２１ｃ〜２３ｃでは、その周回ピッチがピッチ一定部２１ａ〜２３ａから基端側に離れるにしたがいピッチ一定部２１ａ〜２３ａの周回ピッチから徐々に大きくなっている。つまり、各ピッチ変化部２１ｂ〜２３ｂ，２１ｃ〜２３ｃではそれぞれ、その周回ピッチがピッチ一定部２１ａ〜２３ａから非コイル部２７に向かうにつれ徐々に大きくなっている。
【００５０】
各切り込み２１〜２３のピッチ一定部２１ａ〜２３ａは、その周回ピッチが互いに相違している。具体的には、第１切り込み２１のピッチ一定部２１ａよりも第２切り込み２２のピッチ一定部２２ａの方が周回ピッチが小さく、第２切り込み２２のピッチ一定部２２ａよりも第３切り込み２３のピッチ一定部２３ａの方が周回ピッチが小さくなっている。つまり、各ピッチ一定部２１ａ〜２３ａの周回ピッチは先端側のものから基端側のものに向かって順に小さくなっている。
【００５１】
コイル部２４〜２６においてピッチ一定部２１ａ〜２３ａにより形成された部位は中間コイル部２４ａ〜２６ａとなっている。中間コイル部２４ａ〜２６ａでは、その螺旋部の幅が当該コイル部２４ａ〜２６ａ全域において一定となっている。コイル部２４〜２６において中間コイル部２４ａ〜２６ａの先端側は先端側コイル部２４ｂ〜２６ｂとなっており、中間コイル部２４ａ〜２６ａの基端側は基端側コイル部２４ｃ〜２６ｃとなっている。先端側コイル部２４ｂ〜２６ｂは、先端側ピッチ変化部２１ｂ〜２３ｂにより形成され、基端側コイル部２４ｃ〜２６ｃは、基端側ピッチ変化部２１ｃ〜２３ｃにより形成されている。
【００５２】
各コイル部２４〜２６の外周面にはそれぞれその全域に亘って表面粗さを粗くする表面加工が施されている。この表面加工は、例えばサンドブラストにより施されている。この表面加工が施されることで、各コイル部２４〜２６の外周面は非コイル部２７の外周面と比べて摩擦抵抗の大きい高摩擦面２９となっている。図２では、その高摩擦面２９がドットハッチを付して示されている。本実施形態では、この高摩擦面２９がコイル部２４〜２６の外周面から軸線方向の両側に若干はみ出て非コイル部２７にも跨がっている。
【００５３】
なお、表面粗さを粗くする表面加工として、サンドブラスト以外に、レーザーテクスチュアリング等他の処理を施してもよい。また、かかる表面加工は必ずしも全部のコイル部２４〜２６に施す必要はなく、各コイル部２４〜２６のうちいずれかのコイル部にだけ施してもよい。また、かかる表面加工を全部のコイル部２４〜２６に施さないようにしてもよい。
【００５４】
続いて、操作部１３について図３に基づいて説明する。図３は、操作部１３周辺の構成を示す縦断面図である。
【００５５】
図３に示すように、操作部１３は、アウタシャフト１１の基端側に連結されたアウタ操作部３１と、インナシャフト１２の基端側に連結されたインナ操作部３２とを有する。アウタ操作部３１は、金属材料により円筒状に形成されており、具体的にはステンレスにより形成されている。アウタ操作部３１の内側には軸線方向に延びる筒孔３３が形成されている。その筒孔３３にはアウタシャフト１１が挿通されている。アウタシャフト１１は、その挿通状態でアウタ操作部３１に溶接により接合（連結）されている。
【００５６】
インナ操作部３２は、アウタ操作部３１の基端側に設けられている。インナ操作部３２は、金属材料により円柱状に形成されており、具体的にはステンレスにより形成されている。インナ操作部３２の内側には軸線方向に延びる筒孔３４が形成されている。この筒孔３４にはインナシャフト１２の延出部１８が挿通されている。延出部１８の基端部には円柱状のジョイント３５が溶接固定されている。筒孔３４は、その基端側が拡径されて拡径部３４ａとなっており、その拡径部３４ａにジョイント３５が挿入されインナ操作部３２に溶接固定されている。
【００５７】
筒孔３４は、その先端側が拡径されて拡径部３４ｂとなっている。その拡径部３４ｂにはアウタ操作部３１の基端部３１ａが挿入されている。この基端部３１ａの挿入状態において、インナ操作部３２は当該基端部３１ａに対して軸線周りに回転可能に連結されている。これにより、インナ操作部３２がアウタ操作部３１に対して軸線周りに回転可能とされている。
【００５８】
ここで、インナ操作部３２がアウタ操作部３１に対して軸線周りに回転操作されると、その回転力がインナシャフト１２を介してアウタシャフト１１の先端部に付与される。そして、その付与された回転力により、アウタシャフト１１の先端側が基端側に対して軸線周りに回転する。これにより、アウタシャフト１１において軸線周りの捻れが生じ、その結果各コイル部２４〜２６においてそれぞれ軸線周りの捻れが生じるようになっている。なお、インナ操作部３２をアウタ操作部３１に対して軸線周りに回転操作する際には、アウタ操作部３１を保持（把持）することでアウタシャフト１１の基端側が軸線周りに回転するのを規制する。
【００５９】
操作部１３には、アウタ操作部３１に対するインナ操作部３２の回転位置を保持する保持構造３７が設けられている。保持構造３７は、ラチェット機構を用いて構成されており、アウタ操作部３１の基端部３１ａの外周面に設けられた複数のラチェット歯３８と、インナ操作部３２に設けられラチェット歯３８に係止可能な係止爪３９とを有している。かかる保持構造３７では、アウタ操作部３１に対するインナ操作部３２の軸線周り方向における一方側への回転（以下、正方向の回転ともいう）が許容されているのに対し、他方側への回転（以下、逆方向の回転ともいう）がラチェット歯３８に対する係止爪３９の係止によって規制されている。そして、かかる他方側への回転規制により、アウタ操作部３１に対するインナ操作部３２の回転位置が保持されるようになっている。
【００６０】
係止爪３９は、インナ操作部３２の外周面に設けられた切替操作部４１の操作により、ラチェット歯３８に係止可能な係止状態と、ラチェット歯３８に対する係止が解除される係止解除状態とに切替可能となっている。係止爪３９が係止解除状態とされると、インナ操作部３２がアウタ操作部３１に対して軸線周り方向の両側にそれぞれ回転可能とされる。
【００６１】
なお、保持構造３７は、必ずしもラチェット機構を用いて構成する必要はなく、他の構成を採用してもよい。
【００６２】
続いて、リード取出装置１０の作用について図４に基づいて説明する。ここでは、体内に埋め込まれたペースメーカのリードをリード取出装置１０を用いて体内から取り出す際の作用について説明する。なお、図４は、リード取出装置１０の作用を説明するための説明図である。
【００６３】
図４（ａ）に示すように、ペースメーカのリード５１は、導電性を有する金属線によりコイル状に形成されており、その内側に軸線方向に延びる内腔５１ａを有している。リード取出装置１０を用いてリード５１を体内から取り出す際にはまずリード５１の内腔５１ａに同装置１０のアウタシャフト１１を挿通する。
【００６４】
次に、かかるアウタシャフト１１の挿通状態で、インナ操作部３２をアウタ操作部３１に対して軸線周りの正方向に回転させる。これにより、その回転力がインナシャフト１２を介してアウタシャフト１１の先端部に付与され、その付与された正方向の回転力がアウタシャフト１１の先端部から基端側へ向けて各コイル部２４〜２６に伝達される。そして、その伝達された正方向の回転力により各コイル部２４〜２６では軸線周りの捻れが生じる。
【００６５】
ここで、正方向の回転力は、アウタシャフト１１をそれよりも基端側から見た場合に、アウタシャフト１１を左向き（反時計回り）に回転させる回転力となっている（図４（ｂ）の矢印参照）。つまり、正方向の回転力は、コイル部２４〜２６（切り込み２１〜２３）が先端側から基端側に向かって軸線周りを周回する向きと同じ向きの回転力となっている。したがって、正方向の回転力が各コイル部２４〜２６に伝達されると、各コイル部２４〜２６には、当該コイル部２４〜２６（の巻き）を巻き戻す向きの捻れが生じる。そして、その捻れによって各コイル部２４〜２６の巻きが緩み各コイル部２４〜２６が径方向外側へ拡張する（つまり拡径する）。
【００６６】
図４（ｂ）には、各コイル部２４〜２６が拡径した状態が示されている。同図４（ｂ）に示すように、各コイル部２４〜２６が拡径すると、その拡径した各コイル部２４〜２６がリード５１を内周側から押圧し当該リード５１を保持（ホールド）する状態となる。ここで、コイル部２４〜２６を形成する切り込み２１〜２３のうち中間コイル部２４ａ〜２６ａを形成するピッチ一定部２１ａ〜２３ａでは、先端側コイル部２４ｂ〜２６ｂ及び基端側コイル部２４ｃ〜２６ｃを形成する各ピッチ変化部２１ｂ〜２３ｂ，２１ｃ〜２３ｃよりも周回ピッチが小さくなっている。そのため、中間コイル部２４ａ〜２６ａでは先端側コイル部２４ｂ〜２６ｂ及び基端側コイル部２４ｃ〜２６ｃよりも拡径し易くなっており、それ故コイル部２４〜２６によるリード５１の保持状態では中間コイル部２４ａ〜２６ａが先端側コイル部２４ｂ〜２６ｂ及び基端側コイル部２４ｃ〜２６ｃよりも大きく拡径しリード５１を内周側から押圧保持している。つまり、コイル部２４〜２６によるリード５１の保持状態では、中間コイル部２４ａ〜２６ａのみがリード５１を押圧保持しており、その中間コイル部２４ａ〜２６ａが押圧保持部に相当するものとなっている。
【００６７】
次に、各コイル部２４〜２６によりリード５１を保持した状態で、リード取出装置１０（アウタシャフト１１）を体内から引き抜く。これにより、リード取出装置１０とともにリード５１が体内から引き抜かれる（取り出される）。
【００６８】
この場合、操作部１３の操作によりコイル部２４〜２６に軸線周りの捻れを生じさせることでコイル部２４〜２６を拡径させ、その拡径させたコイル部２４〜２６によりリード５１を内周側から押圧保持するようにしているため、コイル部２４〜２６における周方向全域でリード５１を保持することができる。そのため、リード５１を安定した状態で保持することが可能となる。
【００６９】
ちなみに、各コイル部２４〜２６によるリード５１の保持状態（図４（ｂ）に示す状態）において、インナ操作部３２をアウタ操作部３１に対して軸線周りの逆方向に回転操作させると、その回転力がインナシャフト１２を介してアウタシャフト１１の先端部に付与される。これにより、その逆方向の回転力がアウタシャフト１１の先端部から基端側へと伝達され、その伝達された逆方向の回転力により各コイル部２４〜２６の捻れが解消される。そして、各コイル部２４〜２６の捻れが解消されることで、各コイル部２４〜２６がそれぞれ縮径しコイル部２４〜２６によるリード５１の保持状態が解除される（図４（ａ）に示す状態になる）。したがって、リード５１を体内から取り出す際に何らかの不具合が生じた場合には、リード５１の保持状態を解除してリード取出装置１０のみを体内から取り出すことができるため、リード５１の取り出しを行う上で安全性を高めることができる。
【００７０】
また、各コイル部２４〜２６の拡径量は、アウタ操作部３１に対するインナ操作部３２の回転量（操作量）を調整することで大小調整することが可能となっている。そのため、コイル部２４〜２６の拡径量を調整することでコイル部２４〜２６のリード５１に対する押圧力を調整でき、ひいてはコイル部２４〜２６によるリード５１の保持力を調整できる。これにより、体内の生体組織に対するリード５１の癒着の強さに応じてリード５１の保持力を適宜調整することが可能となり、リード５１の癒着の強さにかかわらずリード５１を好適に体内から取り出すことが可能となる。
【００７１】
続いて、各コイル部２４〜２６がそれぞれ拡径しリード５１を保持する保持状態へと移行する際の様子について詳しく説明する。図５は、各コイル部２４〜２６が保持状態へ移行する際の様子を説明するための説明図である。
【００７２】
上述したように、アウタ操作部３１に対してインナ操作部３２が正方向に回転操作されると、その回転力がインナシャフト１２を介してアウタシャフト１１の先端部に付与される。そして、その付与された回転力がアウタシャフト１１の各コイル部２４〜２６にそれぞれ伝達され、その伝達された回転力により各コイル部２４〜２６が軸線周りに捻れて拡径する。
【００７３】
ここで、各コイル部２４〜２６において、その中間コイル部２４ａ〜２６ａを形成する切り込み部分（ピッチ一定部２１ａ〜２３ａ）は互いに周回ピッチが異なっているため、各中間コイル部２４ａ〜２６ａの拡径のし易さはそれぞれ異なっている。具体的には、各ピッチ一定部２１ａ〜２３ａの周回ピッチは、先端側のものから基端側のものに向かって小さくなっているため、各中間コイル部２４ａ〜２６ａは先端側のものよりも基端側のものの方が拡径し易くなっている。したがって、各コイル部２４〜２６が拡径する際には、各コイル部２４〜２６の中間コイル部２４ａ〜２６ａが基端側のものから先端側のものに向かって順に拡径することになる。
【００７４】
すなわち、各コイル部２４〜２６が拡径する際にはまず、図５（ａ）に示すように、第３コイル部２６の中間コイル部２６ａが拡径しリード５１を押圧保持する保持状態へ移行し、その後図５（ｂ）に示すように、第２コイル部２５の中間コイル部２５ａが拡径しリード５１を押圧保持する保持状態へ移行し、その後図５（ｃ）に示すように、第１コイル部２４の中間コイル部２４ａが拡径しリード５１を押圧保持する保持状態へ移行する。
【００７５】
このような順序で各中間コイル部２４ａ〜２６ａが保持状態へ移行することで、インナ操作部３２の回転操作によりアウタシャフト１１の先端部に付与される回転力を各中間コイル部２４ａ〜２６ａに好適に伝達させることができる。すなわち、各中間コイル部２４ａ〜２６ａが先端側のものから基端側のものに向かって順に保持状態へと移行する場合には、先端側の中間コイル部２４ａが保持状態に移行した後、それ以降は、そのコイル部２４ａ（ひいては第１コイル部２４）に回転力が付与されても第１コイル部２４が回転しなくなることが想定される。その場合、第１コイル部２４よりも基端側に回転力を伝達させることが困難となり、その結果第１コイル部２４よりも基端側の第２コイル部２５及び第３コイル部２６を拡径させ保持状態に移行させることが困難になるおそれがある。
【００７６】
この点、上述した順序、つまり基端側のものから先端側のものに向かって順に各中間コイル部２４ａ〜２６ａを保持状態へ移行するようにすれば、先端側の第１コイル部２４が先に保持状態となってそれよりも基端側のコイル部２５，２６に回転力を伝達させることができない上述の不都合が生じるのを回避できるため、各コイル部２４〜２６（中間コイル部２４ａ〜２６ａ）にそれぞれ回転力を伝達させることができ、その結果各コイル部２４〜２６を確実に保持状態へと移行させることができる。これにより、アウタシャフト１１に複数のコイル部２４〜２６が設けられた構成にあって、各コイル部２４〜２６によるリード５１の保持機能を確実に発揮させることができる。
【００７７】
次に、心臓の内部に埋め込まれたペースメーカのリード５１をリード取出装置１０を用いて体内から取り出す場合の様子について説明する。図６は、かかる様子を説明するための説明図である。
【００７８】
図６に示すように、患者の心臓の内部にはペースメーカのリード５１が埋め込まれている。リード５１は、上大静脈５３及び三尖弁５４を経由して右心室５５へと導入されており、その先端部（電極部）が右心室５５の内壁に対して取り付けられている。リード５１は、かかる導入状態において、その少なくとも一部が心臓の生体組織に癒着されている。具体的には、リード５１において右心室５５に取り付けられた先端部と、三尖弁５４に配置された部位と、上大静脈５３に配置された部位とは、特に生体組織との癒着が強くなっている。
【００７９】
リード取出装置１０を用いてリード５１を体内から取り出す際にはアウタシャフト１１をリード５１の内腔５１ａに挿通する。この際、アウタシャフト１１の先端部がリード５１の先端部又はその付近に到達するまでアウタシャフト１１をリード５１内に挿通する。これにより、アウタシャフト１１の第１コイル部２４がリード５１において右心室５５に取り付けられた先端部付近に配置され、第２コイル部２５がリード５１において三尖弁５４を通過する部分に配置され、第３コイル部２６がリード５１において上大静脈５３を通過する部分に配置される。つまり、この場合、各コイル部２４〜２６がそれぞれリード５１において心臓内の生体組織に強く癒着された癒着部位に配置される。
【００８０】
次に、インナ操作部３２を回転操作することにより、各コイル部２４〜２６をそれぞれ拡径させリード５１を保持する保持状態へ移行させる。これにより、リード５１において生体組織に強く癒着された上記の各癒着部位がそれぞれ各コイル部２４〜２６により保持される。そして、かかるリード５１の保持状態でリード取出装置１０を基端側へと引っ張り心臓内から引き抜く。これにより、リード取出装置１０とともにリード５１が心臓内から引き抜かれる（取り出される）。
【００８１】
この場合、リード５１において生体組織に強く癒着された各癒着部位を各コイル部２４〜２６によりそれぞれ保持した状態でリード５１を心臓内から取り出すことができるため、リード５１を心臓内から好適に取り出すことができる。また、一のコイル部をアウタシャフト１１の軸線方向に長く形成することによっても、その（一の）コイル部によりリード５１において生体組織に強く癒着する各癒着部位を保持することは可能であるが、その場合、コイル部全体を拡径させるべく、インナ操作部３２の操作によりアウタシャフト１１に加える捻り量が大きくなってしまい、かかる操作が大変になるおそれがある。この点、アウタシャフト１１に複数のコイル部２４〜２６を設けた上述の構成によれば、かかる操作の大変さを伴わずに上述した効果を得ることができる。
【００８２】
以上、詳述した本実施形態の構成によれば、以下の優れた効果が得られる。
【００８３】
第１コイル部２４を、アウタシャフト１１においてその先端部付近から基端側に向けた所定範囲に形成したため、第１コイル部２４によりリード５１の先端部付近を保持することができる。リード５１の先端部は体内の生体組織に強く癒着される部位であるため、その先端部付近を第１コイル部２４により保持することでリード５１を好適に体内から取り出すことができる。
【００８４】
また、アウタシャフト１１の先端側を基端側に対して軸線周りに回転させることにより第１コイル部２４に捻れを生じさせることで同コイル部２４を拡径し、その拡径した第１コイル部２４によりリード５１を押圧保持する構成としたため、上記特許文献１のリード取出装置とは異なり、第１コイル部２４が保持状態（換言すると拡径状態）へ移行する過程で第１コイル部２４が基端側に変位することがない。そのため、第１コイル部２４によりリード５１の先端部付近を確実に保持することができ、その結果リード５１を好適に体内から取り出すという上述の効果を確実に得ることができる。
【００８５】
アウタ操作部３１を保持した状態でインナ操作部３２をアウタ操作部３１に対して軸線周りに回転操作することで、アウタシャフト１１の基端側についての軸線周りへの回転を規制しながら、アウタシャフト１１の先端部にインナシャフト１２を介して軸線周りの回転力を付与するようにした。この場合、アウタシャフト１１の先端部に付与された回転力がアウタシャフト１１の先端部から基端側へと伝達され、その伝達された回転力によりコイル部２４〜２６に捻れを生じさせることになる。そのため、コイル部２４〜２６に捻れを生じさせるためにアウタシャフト１１におけるコイル部２４〜２６よりも基端側の長い範囲を（大きく）回転させなくてもよく、その結果アウタシャフト１１の回転に伴い同シャフト１１の外周面とリード５１の内周面との間に生じる摺動抵抗を低減させることができる。これにより、コイル部２４〜２６に捻れを生じさせる操作を行う上で、その操作性の低下を抑制することができる。
【００８６】
コイル部２４〜２６を形成する切り込み２１〜２３に、その周回ピッチが一定とされたピッチ一定部２１ａ〜２３ａと、周回ピッチがピッチ一定部２１ａ〜２３ａから非コイル部２７に向かうにつれ当該ピッチ一定部２１ａ〜２３ａの周回ピッチから徐々に大きくなるピッチ変化部２１ｂ〜２３ｂ，２１ｃ〜２３ｃとを設けた。この場合、アウタシャフト１１におけるコイル部２４〜２６と非コイル部２７との境界部で局所的に剛性が変化するのを抑制できるため、アウタシャフト１１において先端側から基端側へと回転力が伝達される際、その回転力を非コイル部２７からコイル部２４〜２６へ（又はコイル部２４〜２６から非コイル部２７へ）と上手く伝達させることができる。これにより、コイル部２４〜２６と非コイル部２７との間で回転力を上手く伝達させることができずに、コイル部２４〜２６が非コイル部２７との境界部で変形したり破損したりする不具合を生じさせにくくすることができる。
【００８７】
また、ピッチ変化部２１ｂ〜２３ｂ，２１ｃ〜２３ｃをピッチ一定部２１ａ〜２３ａの基端側及び先端側にそれぞれ設けたため、コイル部２４〜２６における軸線方向の両端部においてそれぞれ上記の不具合を生じさせにくくすることができる。
【００８８】
各コイル部２４〜２６の外周面を非コイル部２７の外周面よりも摩擦抵抗の大きい高摩擦面２９としたため、各コイル部２４〜２６によるリード５１の保持状態でリード５１が軸線方向にずれてしまうのを抑制することができる。これにより、リード５１をより一層安定した状態で保持することができる。
【００８９】
本発明は上記実施形態に限らず、例えば次のように実施されてもよい。
【００９０】
（１）上記実施形態では、切り込み２１〜２３においてピッチ一定部２１ａ〜２３ａの先端側及び基端側のそれぞれにピッチ変化部２１ｂ〜２３ｂ，２１ｃ〜２３ｃを設けたが、ピッチ一定部２１ａ〜２３ａの先端側及び基端側のいずれか一方にのみピッチ変化部を設けてもよい。また、ピッチ一定部２１ａ〜２３ａの先端側及び基端側の両方にピッチ変化部を設けないようにしてもよい。
【００９１】
（２）上記実施形態では、各切り込み２１〜２３のピッチ一定部２１ａ〜２３ａにおいて、その周回ピッチを先端側のものから基端側のものに向かって小さくしたが、これを変更して、各ピッチ一定部２１ａ〜２３ａの周回ピッチをそれぞれ同じとしてもよい。
【００９２】
（３）上記実施形態では、コイル部２４〜２６の中間コイル部２４ａ〜２６ａをピッチ一定部２１ａ〜２３ａにより形成したが、これを変更してもよい。例えば、中間コイル部２４ａ〜２６ａを先端側から基端側に向かうにつれて周回ピッチが徐々に小さくなるピッチ徐変部により形成してもよい。かかる構成では、中間コイル部（押圧保持部に相当）を形成する切り込み部分（ピッチ徐変部）の周回ピッチが先端側から基端側に向かうにつれて徐々に小さくなっているため、中間コイル部において先端側よりも基端側の方が拡径し易くなっている。このため、中間コイル部が拡径する際には、先端側よりも基端側の方が先にリード５１の内周部まで拡径しリード５１を押圧保持する保持状態へ移行する。これにより、中間コイル部の先端側が先に保持状態となってそれよりも基端側に回転力を伝達できなくなる不都合を回避することができるため、中間コイル部の全体をより確実に保持状態へと移行させることができ、その結果中間コイル部によるリード５１の保持機能をより確実に発揮させることができる。
【００９３】
（４）切り込み２１〜２３の周回ピッチの態様は必ずしも上記実施形態のものに限定されない。例えば、切り込み２１〜２３の軸線方向全域に亘って周回ピッチを一定としてもよいし、切り込み２１〜２３の軸線方向全域において周回ピッチを先端側から基端側に向かって徐々に小さくしてもよい。
【００９４】
（５）上記実施形態では、アウタシャフト１１に３つのコイル部２４〜２６を設けたが、これを変更して、２つ又は４つ以上のコイル部を設けてもよい。また、アウタシャフト１１にコイル部を１つだけ設けるようにしてもよい。
【００９５】
（６）上記実施形態では、第１コイル部２４（換言すると第１切り込み２１）をアウタシャフト１１の先端部付近から基端側に向けて形成したが、これを変更して、第１コイル部２４（第１切り込み２１）をアウタシャフト１１の先端部から基端側に向けて形成してもよい。その場合、第１切り込み２１は、アウタシャフト１１の先端部にて開放されることになる。
【００９６】
（７）上記実施形態では、操作部１３の操作により、アウタシャフト１１の基端側が軸線周りに回転するのを規制しながら、アウタシャフト１１の先端側にインナシャフト１２を介して軸線周りの回転力を付与するようにしたが、これを変更して、操作部１３の操作により、アウタシャフト１１の先端側が軸線周りに回転するのを規制しながら、アウタシャフト１１の基端側に軸線周りの回転力を付与するようにしてもよい。その場合でも、その付与された回転力により各コイル部２４〜２６に捻れを生じさせることで、各コイル部２４〜２６をそれぞれ拡径させリード５１を保持する保持状態へと移行させることができる。
（８）上記実施形態では、インナシャフト１２をアウタシャフト１１におけるコイル部２４〜２６（詳しくは第１コイル部２４）よりも先端側に連結したが、これを変更して、インナシャフト１２をアウタシャフト１１における第１コイル部２４の先端部に連結してもよい。その場合にも、操作部１３の操作により、インナシャフト１２を介して第１コイル部２４の先端部（アウタシャフト１１の先端側）に軸線周りの回転力を付与すると、その回転力により各コイル部２４〜２６に軸線周りの捻れを生じさせることができるため、その捻り操作に基づき各コイル部２４〜２６をそれぞれ拡径させリード５１を保持する保持状態へ移行させることができる。
【００９７】
（９）アウタシャフト１１及びインナシャフト１２のうち少なくともいずれかをＸ線不透過性を有する金属材料により形成してもよい。そうすれば、Ｘ線投影下においてアウタシャフト１１（又はインナシャフト１２）の視認性向上を図ることができるため、アウタシャフト１１をリード５１内においてその先端部付近まで挿通する作業をし易くすることができる。
【００９８】
（１０）リード取出装置１０を用いてリード５１を体内から取り出す際に、エキシマレーザシースを併用してもよい。この場合、エキシマレーザシースをリード５１の外周側に配置し、同シースの先端より照射されるレーザ光によりリード５１に癒着する癒着組織を剥離しながらリード５１の取り出しを行う。これにより、リード５１を体内からより確実に取り出すことができる。
【００９９】
（１１）上記実施形態では、リード取出装置１０によりペースメーカのリードを体内から取り出す場合について説明したが、リード取出装置１０を他の医療機器のリードを体内から取り出す際に用いてもよい。また、リード取出装置１０により取り出されるリードは必ずしもコイル状である必要はなくチューブ状でもよい。
【符号の説明】
【０１００】
１０…リード取出装置、１１…アウタシャフト、１２…インナシャフト、１３…操作部、２１〜２３…切り込み、２１ａ〜２３ａ…所定の切り込み部分及び最小ピッチ部としてのピッチ一定部、２１ｂ〜２３ｂ…ピッチ変化部としての先端側ピッチ変化部、２１ｃ〜２３ｃ…ピッチ変化部としての基端側ピッチ変化部、２４〜２６…コイル部、２４ａ〜２６ａ…押圧保持部としての中間コイル部、２７…非コイル部、５１…リード。
【図１】
0006309380.tif 000002
【図２】
0006309380.tif 000003
【図３】
0006309380.tif 000004
【図４】
0006309380.tif 000005
【図５】
0006309380.tif 000006
【図６】
0006309380.tif 000007
【図７】
0006309380.tif 000008
【図８】
0006309380.tif 000009